(57)【要約】      （修正有）【課題】第１ケースには内側の側面から突出する係合爪を設け、第２ケースには側面から薄板状に延在して表面に前記係合爪を嵌入する開口穴を有した係合リブを設けた電子機器の筐体構造において、第２ケースに外力が加わることによって係合爪と開口穴との嵌合が外れたとしても、容易に元の状態に戻すことが可能な電子機器の筐体構造を提供すること。【解決手段】開口穴４にシート状の部材７を挿入した後に開口穴４に係合爪２を嵌入することによって、係合リブ３の第１ケース１ａ内側に位置するエッジ部と対応する開口穴４の縁との間にシート状の部材７の一部を位置させる。【選択図】図２
2006114855.tif 000002
【特許請求の範囲】
【請求項１】
第１ケースには内側の側面から突出する係合爪を設け、第２ケースには側面から薄板状に延在して表面に前記係合爪を嵌入する開口穴を有した係合リブを設け、前記係合爪を前記開口穴に嵌入することによって前記第１ケースと前記第２ケースとを嵌合して内部に所定の部品を収納する電子機器の筐体構造において、
前記開口穴に前記開口穴の深さよりも長いシート状の部材を挿入した後に前記開口穴に前記係合爪を嵌入することによって、前記係合リブの前記第１ケース内側に位置するエッジ部と対応する前記開口穴の縁との間に前記シート状の部材の一部が位置していることを特徴とする電子機器の筐体構造。
【請求項２】
前記シート状の部材は、樹脂シートであることを特徴とする請求項１記載の電子機器の筐体構造。
【請求項３】
前記シート状の部材は、前記開口穴に挿入した状態で両端を貼り合わせることによって前記開口穴に設置されていることを特徴とする請求項１又は２記載の電子機器の筐体構造。
【発明の詳細な説明】
【技術分野】
【０００１】
本発明は、デジタルカメラや携帯電話等の電子機器の筐体構造に関し、詳しくは、第１ケースには内側の側面から突出する係合爪を設け、第２ケースには側面から薄板状に延在して表面に前記係合爪を嵌入する開口穴を有した係合リブを設け、前記係合爪を前記開口穴に嵌入することによって前記第１ケースと前記第２ケースとを嵌合して内部に所定の部品を収納する電子機器の筐体構造に関する。
【背景技術】
【０００２】
この種の電子機器の筐体構造では、従来、係合爪を開口穴に直接嵌入することによって第１ケースと第２ケースとを嵌合させていた。
【特許文献１】特開２０００−３３２４４８号公報
【発明の開示】
【発明が解決しようとする課題】
【０００３】
この種の電子機器の筐体構造では、係合リブを有する第２ケースに外力が加わることによって係合爪と開口穴との嵌合が外れてしまい、内部に収納されている部材によって第１ケースと第２ケースは開く方向に力が働く。そして、外力が解除されると第１ケースと第２ケースが開いた状態で元の姿勢に戻ろうとするが、従来のような係合爪を開口穴に直接嵌入する構造では、係合リブの第１ケース内側に位置するエッジ部が、対応する開口穴の縁に引っかかり、元の状態に戻ることが困難であった。
【０００４】
本発明は、係合リブを有する第２ケースに外力が加わることによって係合爪と開口穴との嵌合が外れたとしても、容易に元の状態に戻すことが可能な電子機器の筐体構造を提供することを目的とする。
【課題を解決するための手段】
【０００５】
本発明は、上記課題を解決するために、第１ケースには内側の側面から突出する係合爪を設け、第２ケースには側面から薄板状に延在して表面に前記係合爪を嵌入する開口穴を有した係合リブを設け、前記係合爪を前記開口穴に嵌入することによって前記第１ケースと前記第２ケースとを嵌合して内部に所定の部品を収納する電子機器の筐体構造において、前記開口穴に前記開口穴の深さよりも長いシート状の部材を挿入した後に前記開口穴に前記係合爪を嵌入することによって、前記係合リブの前記第１ケース内側に位置するエッジ部と対応する前記開口穴の縁との間に前記シート状の部材の一部が位置していることを特徴とする。
【０００６】
さらに、前記シート状の部材は、樹脂シートであることを特徴とする。
【０００７】
さらに、前記シート状の部材は、前記開口穴に挿入した状態で両端を接着することによって前記開口穴に設置されていることを特徴とする。
【発明の効果】
【０００８】
本発明によれば、開口穴に挿入され開口穴の縁に位置するシート状の部材が、係合リブの第１ケース内側に位置するエッジ部を開口穴に案内するので、係合リブを有する第２ケースに外力が加わることによって係合爪と開口穴との嵌合が外れたとしても、容易に元の状態に戻すことが可能な電子機器の筐体構造を提供することができる。
【０００９】
なお、シート状の部材を樹脂シートとすれば、耐久性及び信頼性が向上する。
【００１０】
また、シート状の部材を開口穴に挿入した状態で両端を貼り合わせることによって開口穴に設置するようにすれば、組み立て作業性が向上する。
【発明を実施するための最良の形態】
【００１１】
図１は、本発明の実施例であるデジタルカメラの外観斜視図である。図において、デジタルカメラのケース１は、第１ケース１ａと第２ケース１ｂを合わせて構成され、両ケース１ａ、１ｂは金属板をプレス加工して形成される。３１はレンズ鏡筒、３２は光学ビューファインダ、３３はストロボ、３４はシャッターボタンである。第１ケース１ａと第２ケース１ｂによって形成されるデジタルスチルカメラの内部には、回路基板、撮像素子、光学レンズ、バッテリー、記録媒体等の各種部材が収納されている。
【００１２】
図２（ａ）は第１ケース１ａと第２ケース１ｂを合わせる前の状態であって、図１の破線Ａで囲んだ部分を上から見た図であり、図２（ｂ）は図２（ａ）をＢ−Ｂ線を含む面にて破断した断面図である。第１ケース１ａには、内側の側面から突出する係合爪２を設けている。第２ケース１ｂには、側面から薄板状に延在して表面に係合爪２を嵌入する開口穴４と、組立て時に係合爪２を開口穴４に導く傾斜面５を有した係合リブ３を設け、開口穴４には係合爪２との係合力を増すための微小突起６が設けられている。そして、開口穴４にはシート状の部材である樹脂シート７が挿入されている。開口穴４に挿入された状態で樹脂シート７の両端は貼り合わされているので、樹脂シート７は開口穴４から外れない状態を保っている。よって、挿入しただけの場合に比べ組み立て作業性が向上する。なお、樹脂シート７の内側前面に接着剤を塗布し、開口穴４近辺の係合リブ３そのものに接着してもよい。
【００１３】
図３は係合爪２を開口穴４に挿入し第１ケース１ａと第２ケース１ｂが合わせられた状態を示す図である。図３（ａ）は図２（ａ）に、図３（ｂ）は図２（ｂ）に夫々対応する。図３は図２と共通する符号を付し、詳細な説明は割愛する。なお、図２（ｂ）、及び図３（ｂ）において、図示説明の都合上、樹脂シート７は太線で図示されているが、開口穴４の大きさに比べて十分薄いものである。また、開口穴４に設けられた微小突起６の図示は省略した。
【００１４】
図４は、第２ケース１ｂに外力が加わることによって係合爪２と開口穴４との嵌合が外れた状態を示す断面図である。矢印Ｆで示す方向に第２ケース１ｂに外力が加わると、図のように係合爪２と開口穴４との嵌合が外れる。すると、内部に収納されている部材によって第１ケース１ａと第２ケース１ｂは開く方向に力が働くため、第１ケース１ａと第２ケース１ｂとの間には隙間Ｄが生じる。
【００１５】
そして、外力が解除される矢印Ｆとは逆方向の矢印Ｒの方向に第２ケースは元の状態に戻ろうとする。すると、第１ケース１ａと第２ケース１ｂとの間に生じた隙間Ｄの影響で、係合爪２の第１ケース１ａ内側に位置するエッジ部８が、対応する開口穴４の縁８と合致しない状態で係合爪２は開口穴４に入ろうとする。すると開口穴４の縁８の部分に位置する樹脂シート７が係合爪２のエッジ部８を滑らせて係合爪２を開口穴４へ案内することにより、係合爪２と開口穴４との嵌合が元に戻ることができる。さらに、係合爪２のエッジ部８及び対応する開口穴４の縁８を樹脂シート７が保護しているため、夫々の削れを防止している。開口穴４の縁８の部分に位置する樹脂シート７がなければ係合爪２の開口穴４への案内は行われず、元に戻ることができない。なお、図２（ｂ）、及び図３（ｂ）と同様に、図示説明の都合上、樹脂シート７は太線で図示されているが、開口穴４の大きさに比べて十分薄いものである。
【００１６】
以上、係合爪２を開口穴４に嵌入することによって第１ケース１ａと第２ケース１ｂを合わせることについて説明したが、、図１の破線Ａで囲んだ部分以外、特にデジタルカメラの底部にも第１ケース１ａと第２ケース１ｂを接合させる機構が施されている。該機構は、図１の破線Ａで囲んだ部分と同様であっても異なっていてもよい。
【００１７】
本実施例では、シート状の部材として樹脂シート７を用いた。樹脂であれば耐久性があり且つ表面の摩擦係数をちいさくすることができるので、係合爪２と開口穴４との嵌合が外れる、元の状態に戻す、という動作を繰り返したとしても、確実に係合爪２を開口穴４へ案内することことが可能となり、耐久性及び信頼性が確保される。しかしながら、シート状の部材の材質は、樹脂に限らず金属や炭素繊維でもよい。
【００１８】
上記実施例の説明は、本発明を説明するためのものであって、特許請求の範囲に記載の発明を限定し、或は範囲を減縮する様に解すべきではない。又、本発明の各部構成は、上記実施例に限らず、特許請求の範囲に記載の技術的範囲内で種々の変形が可能であることは勿論である。
【図面の簡単な説明】
【００１９】
【図１】本発明の実施例であるデジタルカメラの外観斜視図である。
【図２】本発明の実施例であるデジタルカメラの細部を説明する平面図及び断面図である。
【図３】本発明の実施例であるデジタルカメラの細部を説明する平面図及び断面図である。
【図４】本発明の実施例であるデジタルカメラの細部を説明する断面図である。
【符号の説明】
【００２０】
１ａ    第１ケース
１ｂ    第２ケース
２      係合爪
３      係合リブ
４      開口穴
７      樹脂シート
【図１】
2006114855.tif 000003
【図２】
2006114855.tif 000004
【図３】
2006114855.tif 000005
【図４】
2006114855.tif 000006